(57)【要約】      （修正有）【課題】小さなスペースで保管・輸送が可能な折り畳み方式で、装着体が簡単に組立できる折り畳み式組立容器を提供する。【解決手段】天板４１の横辺に沿って平行する横辺と、天板に左右の水平板４２，４３を扁平状に折り返して形成する二角内に収まるところの平行する縦辺からなる四辺形の連結体配設板に、下辺より上辺を短くした台形形状となる逆Ｔ字状の台形直立部２４を有する。装着体Ｕを形成する連結体は接着が容易となる。また、アーチ状の天板と整形体Ｃが接する二角内に収まる二辺と、アーチ状の天板内側に接触するところの頂上をもって山形状となる係止体Ｔを付設し、この係止体の斜面に設けた係止孔４０の上辺・下辺にて、天板の拡大天板係止孔４４を貫通した保持枠Ｄの側板・下部開口がそれぞれ係止され、保持枠が傾斜状態にて安定する。【選択図】図２４
0003189387.tif 000002
【実用新案登録請求の範囲】
【請求項１】
互いに平行となる両端にて開閉自在なる折り曲げ線をもって折り畳み、互いに重ね合わせられるところの弾力性を有する四辺形の天板と水平板のうち、この天板のアーチ状に湾曲する支点となる平行する二辺の延長上に、開閉自在なる折り曲げ線をもって折り返して前記天板に重ね合わせられるところの一対の左水平板・右水平板に、この折り曲げ線に平行するところの３本の開閉自在なる折り曲げ線をもって、左右の一対の連結板の間に一対の直立板を設けた四辺形の連結体のうちの前記連結板を、それぞれ接合して環状とするところの装着体のうちの前記連結体の一対の連結板と、中央の折り曲げ線にて二つ折りして一対の直立板を重ね合わせた連結体直立部を逆Ｔ字状に整形し、前記天板をアーチ状に湾曲する支点に形成される二角内に互いに平行する二辺が収まるところの、固定孔を設けた上層整形板と、逆Ｔ字状に整形した前記連結体の水平状態に並設される一対の前記連結板が収まるところの下層収納孔を設けた下層整形板よりなる四辺形の整形体を付設して、この整形体に設けた前記固定孔に前記連結体直立部を係合し、開閉自在なる折り曲げ線を有する四角のうちの対角線上の二角をもって折り畳まれるところの、収納物を投入する水平断面形状が四辺形なる筒状の保持枠を、前記天板に設けた貫通孔に貫通し、下部開口内の対角線上に前記連結体直立部を嵌め込んで前記整形体上に設置して、前記装着体に着脱自在に装着した折り畳み式組立容器における逆Ｔ字状の前記連結体直立部を有する前記連結体を、上下辺のうち下辺より上辺を短くした台形形状となる逆Ｔ字状の台形直立部を有する台形連結体とし、前記天板の横辺に沿って平行する横辺と、前記天板に左右の水平板を扁平状に折り返して形成する二角内に収まるところの平行する縦辺からなる四辺形の連結体配設板に、前記台形連結体を展開した外形形状を、ミシン目をもって配設し、この連結体配設板をもって組立する折り畳み式組立容器。
【請求項２】
アーチ状の前記天板と前記整形体が接する二角内に互いに平行する二辺が収まるところの、弾力性を有する四辺形からなるアーチ状の補助体を付設し、この補助体の中央には補助孔を設け、この補助孔と前記天板の貫通孔を貫通するところの前記保持枠を装着した請求項１記載の折り畳み式組立容器。
【請求項３】
前記補助体の中央には前記台形直立部を挿入するところの補助体固定孔を設け、この補助体固定孔の周辺に前記保持枠が貫通する補助孔を設けるとともに、この保持枠が貫通するところの天板補助孔を前記天板に設けた請求項２記載の折り畳み式組立容器。
【請求項４】
アーチ状の前記天板と前記整形体が接する二角内に互いに平行する二辺が収まるところの四辺形からなり、この二辺間の開閉自在なる折り曲げ線をもって二つ折りして、アーチ状の前記天板内側に接触するところの頂上を有する山形状の係止体を付設し、この係止体の二斜面のうちの一方の斜面に設けた係止孔の上辺・下辺にて、側板・下部開口をそれぞれ係止して傾斜状態とした前記保持枠が、この傾斜に沿って貫通するところの天板係止孔を前記天板に設けた請求項１記載の折り畳み式組立容器。
【請求項５】
前記係止体に係止されて傾斜状態とした前記保持枠が、この傾斜に直角方向にて貫通するところの拡大天板係止孔を前記天板に設けた請求項４記載の折り畳み式組立容器。
【考案の詳細な説明】
【技術分野】
【０００１】  本考案は、家庭・事務所等で使用されるもので、メガネスタンドやペン立て等の組立容器に関するものである。
【背景技術】
【０００２】  従来の折り畳み式組立容器は、メガネやペン等の収納物を投入した保持枠を、アーチ状の装着体に装着して、扁平状に折り畳みができて小さなスペースで保管・輸送ができるけれども、この装着体の構造において組立が簡単ではなかった。【０００３】  また、保持枠を挿入する貫通孔は中央に一ヶ所にて、一つの保持枠が装着体に装着されて、保持枠の水平断面形状・配置が限定される、すなわち、収納物や収納要領が限定されていた。【０００４】  以下、図１〜９により従来の折り畳み式組立容器について説明する。【０００５】  従来の組立容器Ａ１は装着体Ｂ・整形体Ｃ・保持枠Ｄより構成されている。【０００６】  装着体Ｂは、板状装着板Ｅと連結体Ｆより構成されており、板状装着板Ｅは厚み０．３ｍｍ程度の、ある程度の弾性を有するところの厚紙にて、四辺Ｅ１〜Ｅ４からなる四辺形の外形形状からなり、四辺１Ａ〜１Ｄからなる四辺形の外形形状の天板１と、この天板１の左右に、互いに同等なる大きさにて、四辺２Ａ〜２Ｄ・３Ａ〜３Ｄからなる四辺形の外形形状の左水平板２・右水平板３を、天板１の縦辺１Ｄ・１Ｂの延長上に折り曲げ線Ｅ５・Ｅ６をもって折り返しており、また、天板１の中央には、外形形状が四辺形にて交差する対角線４Ａと４Ｂが、天板１の縦辺１Ｂ・１Ｄ、及び、横辺１Ａ・１Ｃにそれぞれ平行となるところの貫通孔４を設けている。【０００７】  連結体Ｆも厚み０．３ｍｍ程度の厚紙の、四辺Ｆ１〜Ｆ４からなる四辺形の外形形状からなり、縦辺Ｆ２・Ｆ４に平行にして３本の開閉自在な折り曲げ線Ｆ５〜Ｆ７を配設して、左右一対の連結板５・６、及び、直立板７・８より構成され、３本の折り曲げ線Ｆ５〜Ｆ７のうちの中央の折り曲げ線Ｆ６をもって二つ折りし、一対の直立板７・８を互いに重ね合わせて連結体直立部Ｆ８を形成して、３本の折り曲げ線Ｆ５〜Ｆ７のうちの両端に位置する折り曲げ線Ｆ５・Ｆ７の延長上に水平状態に設けた一対の連結板５・６により、逆Ｔ字状に整形されるものであり、板状装着板Ｅの天板１と左水平板２・右水平板３が扁平状に重ね合わされた状態にて、連結体Ｆの一対の連結板５・６を、板状装着板Ｅの左水平板２・右水平板３に合成接着剤にてそれぞれ接着して環状となる装着体Ｂを形成している。【０００８】  整形体Ｃは、四辺Ｃ１〜Ｃ４からなる四辺形の外形形状からなり、上層整形板Ｇと下層整形板Ｈより構成され、このうちの上層整形板Ｇは、厚み０．５ｍｍ程度の厚紙にて四辺Ｇ１〜Ｇ４からなる四辺形の外形形状とし、下層整形板Ｈは厚み２ｍｍ程度の厚紙からなり、この外形形状の四辺Ｈ１〜Ｈ４は、上層整形板Ｇの四辺Ｇ１〜Ｇ４とそれぞれ同等な大きさとしている。【０００９】  また、整形体Ｃの外形形状の大きさにて、縦辺Ｃ２・Ｃ４は板状装着板Ｅの天板１の縦辺１Ｂ・１Ｄと同等とし、また、整形体Ｃの横辺Ｃ１・Ｃ３においては、板状装着板Ｅの天板１をアーチ状に湾曲した状態における天板１と左水平板２・右水平板３が形成する二角Ｅ７・Ｅ８内に、整形体Ｃの縦辺Ｃ２・Ｃ４が収まるところの大きさとし、上層整形板Ｇの中央には四辺９Ａ〜９Ｄのうちの長辺９Ｂ・９Ｄが、上層整形板Ｇの縦辺Ｇ２・Ｇ４に平行するところの長方形の固定孔９を設け、この固定孔９大きさは、��結体直立部Ｆ８の重ね合わせた直立板７・８の厚紙２枚の水平断面形状とほぼ同等にて、天板１をアーチ状に湾曲したところの板状装着板Ｅの左水平板２と右水平板３上に整形体Ｃを載置した場合、連結体直立部Ｆ８が固定孔９内にスムーズに挿入・取外しができる大きさとしている。【００１０】  また、下層整形板Ｈの厚紙の厚みは２ｍｍ程度としているが、この厚みは板状装着板Ｅの左水平板２・右水平板３上に接着した連結体Ｆの連結板５・６の厚みより厚いものにするとともに、下層整形板Ｈの中央には、四辺１０Ａ〜１０Ｄからなる四辺形の下層収納孔１０を設け、この下層収納孔１０の大きさは、連結体Ｆの直立板７・８を互いに重ね合わせた場合の、水平状態となるところの連結板５と６を並列した大きさより一回り大きいものとし、この下層整形板Ｈ上に上層整形板Ｇを合成接着剤にて接着しており、連結体Ｆの連結板５・６が下層整形板Ｈの下層収納孔１０内に収まり、装着体Ｂの左水平板２・右水平板３上の整形体Ｃは、載置した状態が安定することとなる。【００１１】  保持枠Ｄは、四辺Ｄ１〜Ｄ４からなる四辺形の厚み０．２ｍｍ程度の厚紙を用い、４枚の長方形の側板１１〜１４からなるところの水平断面形状が四辺形なる筒状にしたものであり、四角Ｄ５〜Ｄ８のうちの角Ｄ８にて、一方の側板１４にのり代１５を設けて他方の側板１１に合成接着剤で貼り合わせており、また、四角Ｄ５〜Ｄ８に開閉自在な折り曲げ線Ｄ９〜Ｄ１２を配設して、交差する対角線Ｄ１３・Ｄ１４上に位置する角Ｄ５とＤ７、又は、Ｄ６とＤ８をもって、保持枠Ｄは扁平状に折り畳まれるものであるが、保持枠Ｄは板状装着板Ｅの天板１がアーチ状に湾曲した状態における貫通孔４にスムーズに挿入・取外しができるものとし、保持枠Ｄの水平断面形状の大きさは、天板１がアーチ状に湾曲した状態における上方向より見たところの貫通孔４の大きさより一回り小さいものとしている。【００１２】  また、保持枠Ｄを整形体Ｃ上に係止するために、下部開口Ｄ１６の交差する対角線Ｄ１３・Ｄ１４のうちの片方の対角線上に連結体Ｆの連結体直立部Ｆ８を嵌め込むこととなるが、この対角線Ｄ１３・Ｄ１４の長さは、連結体直立部Ｆ８の長さ、すなわち、連結体Ｆの縦辺Ｆ２・Ｆ４とほぼ同等な長さとしているが、この連結体直立部Ｆ８がスムーズに挿入・取外しができる長さとしている。【００１３】  したがって、板状装着板Ｅと連結体Ｆより環状となる装着体Ｂにおいて、整形体Ｃを板状装着板Ｅの左水平板２・右水平板３上に載置し、整形体Ｃの固定孔９に連結体Ｆの連結体直立部Ｆ８を挿入して整形体Ｃを係止して、板状装着板Ｅの天板１のアーチ状の湾曲状態を安定することとなり、造花等の収納物を上部開口Ｄ１５より投入する筒状の保持枠Ｄを、装着体Ｂのアーチ状なる天板１の貫通孔４に貫通し、保持枠Ｄの下部開口Ｄ１６の交差する対角線Ｄ１３・Ｄ１４のうちの片方の対角線上に、連結体Ｆの連結体直立部Ｆ８を嵌め込んで、保持枠Ｄを装着体Ｂに安定した直立状態にて着脱自在に装着されることとなる組立容器Ａ１は、装着体Ｂが開閉自在なる折り曲げ線Ｅ５・Ｅ６、Ｆ５〜Ｆ７、及び、保持枠Ｄが開閉自在なる折り曲げ線Ｄ９〜Ｄ１２をもって扁平状に折り畳みができ、小さなスペースで保管・輸送が可能な折り畳み式組立容器となる。
【考案の概要】
【考案が解決しようとする課題】
【００１４】  従来の折り畳み式組立容器は、逆Ｔ字状の連結体直立部を、整形体の固定孔に挿入して装着体を組立するものであるが、連結体直立部の上辺は、整形体の固定孔にスムーズに挿入・取外しができる範囲でもって固定孔の長さとほぼ同等としているため、連結体直立部を整形体の固定孔に挿入することは簡単ではなく、また、板状装着板の左右一対の水平板に、連結体の左右一対の連結板を正確に接着するのは簡単ではない。【００１５】  また、従来の折り畳み式組立容器は、収納物を投入する筒状の保持枠を、装着体の天板の中央の貫通孔に貫通して、整形体上にて保持枠の下部開口内に、装着体の連結体直立部を嵌め込んで、一つの保持枠を装着状態としているため、保持枠の水平断面形状・配置が限定されていた。【００１６】  本考案は、上述のような問題点に鑑みてなされたものであり、その目的とするところは、小さなスペースで保管・輸送が可能な折り畳み方式にて、逆Ｔ字状の直立部が整形体の固定孔に簡単に挿入・取外しができるとともに、連結体の一対の連結板を、板状装着板の一対の水平板に正確に、かつ、簡単に接着することができて、装着体が簡単に組立できる折り畳み式組立容器を得ることを目的とする。【００１７】  また、多様な水平断面形状の保持枠を、かつ、多様な配置となる、すなわち、多様な収納物が、多様な収納形態となる折り畳み式組立容器を得ることを目的とする。
【課題を解決するための手段】
【００１８】  本考案の折り畳み式組立容器の第一の課題解決手段は、互いに平行となる両端にて開閉自在なる折り曲げ線をもって折り畳み、互いに重ね合わせられるところの弾力性を有する四辺形の天板と水平板のうち、この天板のアーチ状に湾曲する支点となる平行する二辺の延長上に、開閉自在なる折り曲げ線をもって折り返して天板に重ね合わせられるところの一対の左水平板・右水平板に、この折り曲げ線に平行するところの３本の開閉自在なる折り曲げ線をもって、左右の一対の連結板の間に一対の直立板を設けた四辺形の連結体のうちの連結板を、それぞれ接合して環状とするところの装着体のうちの連結体の一対の連結板と、中央の折り曲げ線にて二つ折りして一対の直立板を重ね合わせた連結体直立部を逆Ｔ字状に整形し、天板をアーチ状に湾曲する支点に形成される二角内に互いに平行する二辺が収まるところの、固定孔を設けた上層整形板と、逆Ｔ字状に整形した連結体の水平状態に並設される一対の連結板が収まるところの下層収納孔を設けた下層整形板よりなる四辺形の整形体を付設して、この整形体に設けた固定孔に連結体直立部を係合し、開閉自在なる折り曲げ線を有する四角のうちの対角線上の二角をもって折り畳まれるところの、収納物を投入する水平断面形状が四辺形なる筒状の保持枠を、天板に設けた貫通孔に貫通し、下部開口内の対角線上に連結体直立部を嵌め込んで整形体上に設置して、装着体に着脱自在に装着した折り畳み式組立容器における逆Ｔ字状の連結体直立部を有する連結体を、上下辺のうち下辺より上辺を短くした台形形状となる逆Ｔ字状の台形直立部を有する台形連結体とし、天板の横辺に沿って平行する横辺と、天板に左右の水平板を扁平状に折り返して形成する二角内に収まるところの平行する縦辺からなる四辺形の連結体配設板に、台形連結体を展開した外形形状を、ミシン目をもって配設し、この連結体配設板をもって組立した折り畳み式組立容器とするものである。【００１９】  また、第二の課題解決手段は、アーチ状の天板と整形体が接する二角内に互いに平行する二辺が収まるところの、弾力性を有する四辺形からなるアーチ状の補助体を付設し、この補助体の中央には補助孔を設け、この補助孔と天板の貫通孔を貫通するところの保持枠を装着した折り畳み式組立容器とするものである。【００２０】  また、第三の課題解決手段は、補助体の中央には台形直立部を挿入するところの補助体固定孔を設け、この補助体固定孔の周辺に保持枠が貫通する補助孔を設けるとともに、この保持枠が貫通するところの天板補助孔を天板に設けた折り畳み式組立容器とするものである。【００２１】  また、第四の課題解決手段は、アーチ状の天板と整形体が接する二角内に互いに平行する二辺が収まるところの四辺形からなり、この二辺間の開閉自在なる折り曲げ線をもって二つ折りして、アーチ状の天板内側に接触するところの頂上を有する山形状の係止体を付設し、この係止体の二斜面のうちの一方の斜面に設けた係止孔の上辺・下辺にて、側板・下部開口をそれぞれ係止して傾斜状態とした保持枠が、この傾斜に沿って貫通するところの天板係止孔を天板に設けた折り畳み式組立容器とするものである。【００２２】  また、第五の課題解決手段は、係止体��係止されて傾斜状態とした保持枠が、この傾斜に直角方向にて貫通するところの拡大天板係止孔を天板に設けた折り畳み式組立容器とするものである。
【考案の効果】
【００２３】  上述の様に第一の考案効果は、互いに平行となる両端にて開閉自在なる折り曲げ線をもって折り畳み、互いに重ね合わせられるところの弾力性を有する四辺形の天板と水平板のうち、この天板のアーチ状に湾曲する支点となる平行する二辺の延長上に、開閉自在なる折り曲げ線をもって折り返して天板に重ね合わせられるところの一対の左水平板・右水平板に、この折り曲げ線に平行するところの３本の開閉自在なる折り曲げ線をもって、左右の一対の連結板の間に一対の直立板を設けた四辺形の連結体のうちの連結板を、それぞれ接合して環状とするところの装着体のうちの連結体の一対の連結板と、中央の折り曲げ線にて二つ折りして一対の直立板を重ね合わせた連結体直立部を逆Ｔ字状に整形し、天板をアーチ状に湾曲する支点に形成される二角内に互いに平行する二辺が収まるところの、固定孔を設けた上層整形板と、逆Ｔ字状に整形した連結体の水平状態に並設される一対の連結板が収まるところの下層収納孔を設けた下層整形板よりなる四辺形の整形体を付設して、この整形体に設けた固定孔に連結体直立部を係合し、開閉自在なる折り曲げ線を有する四角のうちの対角線上の二角をもって折り畳まれるところの、収納物を投入する水平断面形状が四辺形なる筒状の保持枠を、天板に設けた貫通孔に貫通し、下部開口内の対角線上に連結体直立部を嵌め込んで整形体上に設置して、装着体に着脱自在に装着した折り畳み式組立容器における逆Ｔ字状の連結体直立部を有する連結体を、上下辺のうち下辺より上辺を短くした台形形状となる逆Ｔ字状の台形直立部を有する台形連結体とし、天板の横辺に沿って平行する横辺と、天板に左右の水平板を扁平状に折り返して形成する二角内に収まるところの平行する縦辺からなる四辺形の連結体配設板に、台形連結体を展開した外形形状を、ミシン目をもって配設し、この連結体配設板をもって組立して、台形形状となる台形直立部が、整形体の固定孔に簡単に挿入・取外しすることができるとともに、台形連結体の正確で、かつ、簡単な接着が可能となり、装着体が簡単な組立となるところの小さなスペースで保管・輸送が可能な折り畳み式組立容器となる。【００２４】  また、第二の考案効果は、アーチ状の天板と整形体が接する二角内に互いに平行する二辺が収まるところの、弾力性を有する四辺形からなるアーチ状の補助体を付設し、この補助体の中央には補助孔を設け、この補助孔と天板の貫通孔を貫通するところの保持枠を装着して、天板・補助体のそれぞれ中央に位置する二ヶ所の貫通孔・補助孔を貫通して、保持枠は安定することとなり、保持枠の下部開口に、装着体の台形直立部を嵌め込む必要もなく、多様な水平断面形状にて、かつ、多様な配置が可能となり、保持枠が安定した直立状態となるところの折り畳み式組立容器となる。【００２５】  また、第三の考案効果は、補助体の中央には台形直立部を挿入するところの補助体固定孔を設け、この補助体固定孔の周辺に保持枠が貫通する補助孔を設けるとともに、この保持枠が貫通するところの天板補助孔を天板に設けて、中央の補助体固定孔に台形直立部を挿入して補助体は安定することとなり、天板・補助体に設けた二ヶ所の天板補助孔・補助孔を貫通するところの保持枠は、台形直立部に接触することのない限り、多様な水平断面形状にて、かつ、多様な配置が可能となり、保持枠がより安定した直立状態となるところの折り畳み式組立容器となる。【００２６】  また、第四の考案効果は、アーチ状の天板と整形体が接する二角内に互いに平行する二辺が収まるところの四辺形からなり、この二辺間の開閉自在なる折り曲げ線をもって二つ折りして、アーチ状の天板内側に接触するところの頂上を有する山形状の係止体を付設し、この係止体の二斜面のうちの一方の斜面に設けた係止孔の上辺・下辺にて、側板・下部開口をそれぞれ係止して傾斜状態とした保持枠が、この傾斜に沿って貫通するところの天板係止孔を天板に設けて、下部開口・側板が係止体の係止孔に係止される傾斜状態の保持枠が、天板の天板係止孔を傾斜に沿って貫通し、保持枠の下部開口に、装着体の台形直立部を嵌め込む必要もなく、保持枠が台形直立部に接触することのない限り、多様な水平断面形状にて、かつ、多様な配置が可能となり、保持枠が安定した傾斜状態となるところの折り畳み式組立容器となる。【００２７】  また、第五の考案効果は、係止体に係止されて傾斜状態とした保持枠が、この傾斜に直角方向にて貫通するところの拡大天板係止孔を天板に設けて、下部開口・側板が係止体の係止孔に係止される傾斜状態の保持枠が、天板の拡大天板係止孔を傾斜に直角方向にて貫通し、保持枠の下部開口に、装着体の台形直立部を嵌め込む必要もなく、保持枠が台形直立部に接触することのない限り、多様な水平断面形状の保持枠を、かつ、多様な配置が可能となり、保持枠が安定した傾斜状態となるところの折り畳み式組立容器となる。
【図面の簡単な説明】
【００２８】
【図１】従来の組立容器の正面より見た要部断面図である。
【図２】同装着体の折り畳まれた状態の正面より見た要部断面図である。
【図３】同板状装着板の展開図である。
【図４】同連結体の展開図である。
【図５】同整形体の平面図である。
【図６】同上層整形板の平面図である。
【図７】同下層整形板の平面図である。
【図８】同保持枠の平面より見た要部断面図である。
【図９】同保持枠の展開図である。
【図１０】本考案の実施の形態１を示す組立容器の正面より見た要部断面図である。
【図１１】同装着体の折り畳まれた状態の正面より見た要部断面図である。
【図１２】同連結体配設板の平面図である。
【図１３】同逆Ｔ字状の台形直立部を整形した台形連結体の斜視図である。
【図１４】本考案の実施の形態２を示す組立容器の正面より見た要部断面図である。
【図１５】同補助体の展開図である。
【図１６】本考案の実施の形態３を示す組立容器の正面より見た要部断面図である。
【図１７】同装着体の折り畳まれた状態の正面より見た要部断面図である。
【図１８】同板状装着板の展開図である。
【図１９】同補助体の展開図である。
【図２０】本考案の実施の形態４を示す組立容器の正面より見た要部断面図である。
【図２１】同装着体の折り畳まれた状態の正面より見た要部断面図である。
【図２２】同板状装着板の展開図である。
【図２３】同係止体の展開図である。
【図２４】本考案の実施の形態５を示す組立容器の正面より見た要部断面図である。
【図２５】同装着体の折り畳まれた状態の正面より見た要部断面図である。
【図２６】同板状装着板の展開図である。
【考案を実施するための形態】
【００２９】  以下、本考案の実施の形態を実施例にもとづき図面を参照して説明する。
【実施例１】
【００３０】  実施の形態１を示す図１０〜１３において、組立容器Ａ２は装着体Ｊ・整形体Ｃ・保持枠Ｄより構成されており、台形連結体Ｌを配設した連結体配設板Ｋにて装着体Ｊを組立する実施例であり、整形体Ｃ・保持枠Ｄは上述の従来の組立容器Ａ１におけるものと同等である。【００３１】  装着体Ｊの組立作業は、板状装着板Ｅと連結体配設板Ｋを組合せるものであり、この板状装着板Ｅは上述の従来の組立容器Ａ１におけるものと同等であり、また、連結体配設板Ｋには、ミシン目よりなる十辺Ｌ１〜Ｌ１０にて外形形状が形成される台形連結体Ｌが配設されており、最終的には不要な部分を取り除いて、装着体Ｊは、板状装着板Ｅと台形連結体Ｌより構成されることとなる。【００３２】  連結体配設板Ｋは、上述の従来の組立容器Ａ１における連結体Ｆと同等な厚紙よりなり、四辺Ｋ１〜Ｋ４からなる四辺形の外形形状としている。【００３３】  台形連結体Ｌは、左右一対の連結板２０・２３、及び、直立板２１・２２より構成され、上述の従来の組立容器Ａ１における連結体Ｆと同等であり、連結板２０・２３、二辺Ｌ５・Ｌ１０、折り曲げ線Ｌ１１・Ｌ１３は、上述の従来の組立容器Ａ１の連結体Ｆの連結板５・６、二辺Ｆ２・Ｆ４、折り曲げ線Ｆ５・Ｆ７にそれぞれ相当するものであるが、３本の折り曲げ線Ｌ１１〜Ｌ１３のうちの中央の折り曲げ線Ｌ１２の長さは、左右の折り曲げ線Ｌ１１・Ｌ１３より短いものとし、折り曲げ線Ｌ１２の両端Ｌ１４・Ｌ１５と、折り曲げ線Ｌ１１・Ｌ１３の両端Ｌ１６・Ｌ１７、及び、Ｌ１８・Ｌ１９をそれぞれ結ぶところの斜辺Ｌ２・Ｌ８、及び、Ｌ３・Ｌ７をそれぞれ形成している。【００３４】  したがって、板状装着板Ｅの天板１の裏側に連結体配設板Ｋを重ね合わせ、左右の左水平板２・右水平板３をそれぞれ折り返すならば、この連結体配設板Ｋに左水平板２・右水平板３がそれぞれ重ね合わせられて、左水平板２・右水平板３と台形連結体Ｌの連結板２０・２３はそれぞれ正確に接着されることとなり、この後、連結体配設板Ｋのうちの台形連結体Ｌ以外の不要な部分を、十辺Ｌ１〜Ｌ１０のミシン目を切り開いて取り除くならば、板状装着板Ｅと台形連結体Ｌより環状となる装着体Ｊを形成することになって、上述の従来の組立容器Ａ１のように組立時にゲージ等を使って、板状装着板Ｅの左水平板２・右水平板３と、台形連結体Ｌの連結板２０・２３の位置合わせをする必要もなく、板状装着板Ｅと台形連結体Ｌは正確・簡単に接着され、装着体Ｊが簡単に組立できるところの小さなスペースで保管・輸送が可能な折り畳み式組立容器となる。【００３５】  また、装着体Ｊに整形体Ｃを付設するとき、台形連結体Ｌの一対の直立板２１・２２を重ね合わせる台形直立部２４は台形形状となり、この台形直立部２４の上辺２５は、上述の従来の組立容器Ａ１における連結体Ｆの連結体直立部Ｆ８のものより短くなり、整形体Ｃの固定孔９に挿入しやすくなって、整形体Ｃは装着体Ｊに簡単に付設できるとともに、台形直立部２４の下辺２６まで挿入されるならば、上述の従来の組立容器Ａ１における連結体直立部Ｆ８と、整形体Ｃの固定孔９との挿入状態と同等となり、装着体Ｊに整形体Ｃは安定した付設状態となり、また、保持枠Ｄの下部開口Ｄ１６内に台形直立部２４を簡単に嵌め込むこともできて、小さなスペースで保管・輸送が可能な折り畳み式組立容器となる。【００３６】  上述の実施例において、連結体配設板Ｋには、台形直立部２４が台形形状となる台形連結体Ｌを配設しているが、連結体配設板Ｋに従来の組立容器Ａ１における連結体Ｆを配設しても、この連結体直立部Ｆ８を整形体Ｃの固定孔９に挿入することは簡単とは言えないが、板状装着板Ｅと連結体Ｆの接着は簡単になることは言うまでもない。【００３７】  また、連結体配設板Ｋに配設した台形連結体Ｌの外形形状を形成する十辺Ｌ１〜Ｌ１０は、全てミシン目としているが、台形連結体Ｌ以外の不要な部分を簡単に取り除くために、十辺Ｌ１〜Ｌ１０うちの互いに平行となる二辺のみ、例えば、Ｌ５とＬ１０だけをミシン目とし、この他は分割線とするとか、台形直立部２４を台形形状とするための斜辺Ｌ２・Ｌ３、及び、Ｌ７・Ｌ８を、同等なる斜辺を有する三角形の皮ポンチにて穴あけして形成してもよいし、また、台形連結体Ｌの十辺Ｌ１〜Ｌ１０と、連結体配設板Ｋの外形形状を形成する四辺Ｋ１〜Ｋ４を結ぶミシン目を設けるならば、連結体配設板Ｋより台形連結体Ｌ以外の不要な部分を取り除く作業が簡単となるものである。
【実施例２】
【００３８】  実施の形態２を示す図１４・１５において、組立容器Ａ３は装着体Ｊ・整形体Ｃ・保持枠Ｄ・補助体Ｍより構成されており、装着体Ｊにアーチ状の補助体Ｍを付設する実施例であり、装着体Ｊ・整形体Ｃ・保持枠Ｄは上述の実施の形態１の組立容器Ａ２におけるものと同等である。【００３９】  補助体Ｍは、厚み０．３ｍｍ程度の、ある程度の弾性を有する厚紙の四辺Ｍ１〜Ｍ４からなる四辺形の外形形状にて、中央に補助孔２７を設け、湾曲してアーチ状とするものである。【００４０】  このアーチ状の補助体Ｍは、四辺Ｍ１〜Ｍ４のうちの一対の縦辺Ｍ２・Ｍ４を、板状装着板Ｅのアーチ状の天板１と、整形体Ｃが接する二角Ｅ９・Ｅ１０内に収まるように付設しており、補助孔２７は、外形形状が四辺形にて交差する対角線２７Ａ・２７Ｂが、四辺Ｍ１〜Ｍ４にそれぞれ平行するところの、上述の実施の形態１の天板１の貫通孔４とほぼ同等にて、アーチ状に湾曲した状態において、保持枠Ｄがスムーズに挿入・取外しができる大きさとしている。【００４１】  したがって、補助体Ｍの一対の縦辺Ｍ２・Ｍ４を、アーチ状の天板１と整形体Ｃが接する二角Ｅ９・Ｅ１０内に収まるように付設し、補助体Ｍは装着体Ｊに安定して付設されることとなり、この装着体Ｊに装着される保持枠Ｄは、天板１の貫通孔４と、補助体Ｍの補助孔２７の二ヶ所を貫通して、下部開口Ｄ１６内に装着体Ｊの台形直立部２４を嵌め込む必要もなく、保持枠Ｄは安定した直立状態にて着脱自在に装着され、保持枠Ｄの下部開口Ｄ１６が台形直立部２４に接触することのない限り、保持枠Ｄは整形体Ｃ上のどこに配設しても問題ないこととなり、多様な水平断面形状の保持枠を、かつ、多様な配置が可能となるところの、小さなスペースで保管・輸送が可能な折り畳み式組立容器となる。【００４２】  上述の実施例において、補助体Ｍは厚紙製としているが、弾性を有するプラスチック板や、木製板としてもよい。【００４３】  また、補助体Ｍは、一対の縦辺Ｍ２・Ｍ４を、アーチ状の天板１と整形体Ｃが接する二角Ｅ９・Ｅ１０内に収まるように付設しているが、左右の二辺Ｍ２・Ｍ４の延長上に折り返しのできる一対の補助片を設け、この補助片を板状装着板Ｅの水平板２・３と整形体Ｃの間に挟着、または、接着するならば、この補助体は装着体Ｊに、より安定した付設状態となるものである。【００４４】  また、保持枠Ｄが装着体Ｊの中央に装着されるように、補助体Ｍ・天板１の補助孔２７・貫通孔４は中央にそれぞれ設けているが、これ以外に、補助体Ｍの補助孔２７周辺に別途補助孔を設け、この補助孔に上下に対応するところの貫通孔を天板１に設けて、保持枠Ｄ以外の保持枠を装着するとか、収納物を直接投入し、さらに、この一対の貫通孔・補助孔のうち、上方の貫通孔より下方の補助孔を、収納物が倒れることのない範囲にて小さくしてもよいし、貫通孔と補助孔が同一垂直線上に位置することのないように、どちらかをスライドしてもよいことは言うまでもない。
【実施例３】
【００４５】  実施の形態３を示す図１６〜１９において、組立容器Ａ４は装着体Ｎ・整形体Ｃ・保持枠Ｄ・補助体Ｑより構成されており、補助体固定孔３２・補助孔３３を設けた補助体Ｑを、装着体Ｎに付設する実施例であり、整形体Ｃ・保持枠Ｄは上述の実施の形態２の組立容器Ａ３におけるものと同等である。【００４６】  補助体Ｑは、上述の実施の形態２の補助体Ｍと同等であり、四辺形の外形形状の四辺Ｑ１〜Ｑ４は、上述の実施の形態２の補助体Ｍの四辺Ｍ１〜Ｍ４に相当するものであるが、補助体Ｑの中央には補助体固定孔３２を設け、また、この補助体固定孔３２と辺Ｑ４の間には補助孔３３を設けている。【００４７】  補助体固定孔３２は、整形体Ｃの固定孔９とほぼ同等であり、四辺３２Ａ〜３２Ｄは、固定孔９の四辺９Ａ〜９Ｄに相当するものであり、補助体Ｑをアーチ状に湾曲した状態において、装着体Ｊの台形直立部２４がスムーズに挿入・取外しができる大きさとしている。【００４８】  補助孔３３は、上述の実施の形態２の板状装着板Ｅの天板１の貫通孔４とほぼ同等であり、対角線３３Ａ・３３Ｂは、上述の実施の形態２の貫通孔４の対角線４Ａ・４Ｂに相当するものであり、補助体Ｑをアーチ状に湾曲した状態において、保持枠Ｄがスムーズに挿入・取外しができる大きさとしている。【００４９】  装着体Ｎは、板状装着板Ｐと台形連結体Ｌより構成されており、板状装着板Ｐ・台形連結体Ｌは上述の実施の形態２の組立容器Ａ３における板状装着板Ｅ・台形連結体Ｌと同等であり、このうちの板状装着板Ｐにおいて、天板２８、左水平板２９、右水平板３０、四辺Ｐ１〜Ｐ４・２８Ａ〜２８Ｄ・２９Ａ〜２９Ｄ・３０Ａ〜３０Ｄ、折り曲げ線Ｐ５・Ｐ６は、上述の実施の形態２の板状装着板Ｅの天板１、左水平板２、右水平板３、四辺Ｅ１〜Ｅ４・１Ａ〜１Ｄ・２Ａ〜２Ｄ・３Ａ〜３Ｄ、折り曲げ線Ｅ５・Ｅ６にそれぞれ相当するものであるが、天板２８の天板補助孔３１は、補助体Ｑの補助孔３３のほぼ真上に位置し、補助体Ｑの補助孔３３とほぼ同等であり、対角線３１Ａ・３１Ｂは、補助体Ｑの補助孔３３の対角線は３３Ａ・３３Ｂに相当し、天板２８をアーチ状に湾曲した状態において、補助孔３３を貫通する保持枠Ｄがスムーズに挿入・取外しができる大きさとしている。【００５０】  したがって、補助体Ｑの一対の縦辺Ｑ２・Ｑ４を、アーチ状の天板２８と整形体Ｃが接する二角Ｐ９・Ｐ１０内に収まるように付設し、補助体Ｑは装着体Ｎに安定して付設されることとなり、この装着体Ｎに装着される保持枠Ｄは、天板２８の天板補助孔３１と、補助体Ｑの補助孔３３の二ヶ所を貫通して、下部開口Ｄ１６内に装着体Ｎの台形直立部２４を嵌め込む必要もなく、保持枠Ｄは安定した直立状態にて着脱自在に装着され、補助孔３３が補助体固定孔３２に接触することのない限り、保持枠Ｄは整形体Ｃ上のどこに配設しても問題ないこととなり、多様な水平断面形状の保持枠を、かつ、多様な配置が可能となり、また、補助体Ｑの補助体固定孔３２に、装着体Ｎの台形直立部２４を挿入して、補助体Ｑは装着体Ｎに安定して付設されるところの、小さなスペースで保管・輸送が可能な折り畳み式組立容器となる。【００５１】  上述の実施例において、天板２８・補助体Ｑの天板���助孔３１・補助孔３３によって、保持枠Ｄは安定した直立状態となり、下部開口Ｄ１６内に装着体Ｎの台形直立部２４を嵌め込む必要もなく、保持枠Ｄの水平断面形状・配置は限定されないこととなるが、保持枠Ｄと同等なる外形形状の収納物は、もちろん、収納物によっては、収納物を投入するところの保持枠Ｄを取り除き、天板補助孔３１・補助孔３３内に直接投入してもよい。【００５２】  また、天板２８・補助体Ｑの天板補助孔３１・補助孔３３はそれぞれ一ヶ所設けているが、これ以外に、補助体Ｑの補助体固定孔３２周辺に別途補助孔を設け、この補助孔に上下に対応するところの天板補助孔を天板２８に設けて、保持枠Ｄ以外の保持枠を装着するとか、収納物を直接投入してもよいし、さらに、この一対の天板補助孔・補助孔のうち、上方の天板補助孔より下方の補助孔を、収納物が倒れることのない範囲にて小さくしてもよいし、天板補助孔と補助孔が同一垂直線上に位置することのないように、どちらかをスライドしてもよいことは言うまでもない。【００５３】  また、保持枠Ｄは、四枚の側板１１〜１４からなるところの水平断面形状が四辺形なる筒状にしたものであるが、側板１１〜１４のうちの一枚の側板において、この下辺の延長上に折り曲げ線をもって底面を設け、下部開口Ｄ１６を閉塞した形状としてもよい。【００５４】  また、装着体Ｎの台形直立部２４を補助体Ｑの補助体固定孔３２に挿入する場合、補助体固定孔３２の大きさは、台形直立部２４がスムーズに挿入・取外しができる大きさとしているが、補助体固定孔３２の四辺３２Ａ〜３２Ｄのうちの縦辺３２Ｂ・３２Ｄを短くする、すなわち、台形直立部２４の斜辺Ｌ２・Ｌ８、及び、Ｌ３・Ｌ７上にて、補助体固定孔３２の四辺３２Ａ〜３２Ｄのうちの横辺３２Ａ・３２Ｃが交差する状態にするならば、補助体Ｑのアーチ状に湾曲した状態の天板２８の高さが規制されることとなり、補助体Ｑの付設状態は安定することとなる。
【実施例４】
【００５５】  実施の形態４を示す図２０〜２３において、組立容器Ａ５は装着体Ｒ・整形体Ｃ・保持枠Ｄ・係止体Ｔより構成されており、装着体Ｒに山形状の係止体Ｔを付設する実施例であり、整形体Ｃ・保持枠Ｄは上述の実施の形態３の組立容器Ａ４におけるものと同等である。【００５６】  係止体Ｔは、厚み０．３ｍｍ程度の厚紙の四辺Ｔ１〜Ｔ４からなる四辺形の外形形状からなり、この縦辺Ｔ２・Ｔ４に平行する折り曲げ線Ｔ５の左右の、四辺３８Ａ〜３８Ｄ・３９Ａ〜３９Ｄからなる四辺形の外形形状の左斜面３８・右斜面３９より構成され、この左斜面３８には、四辺４０Ａ〜４０Ｄからなる四辺形の外形形状の係止孔４０を設け、折り曲げ線Ｔ５をもって二つ折りして山形状とするものである。【００５７】  装着体Ｒは、板状装着板Ｓと台形連結体Ｌより構成されており、板状装着板Ｓ・台形連結体Ｌは上述の実施の形態１の組立容器Ａ２における板状装着板Ｅ・台形連結体Ｌと同等であり、このうちの板状装着板Ｓにおいて、天板３４、左水平板３５、右水平板３６、四辺Ｓ１〜Ｓ４・３４Ａ〜３４Ｄ・３５Ａ〜３５Ｄ・３６Ａ〜３６Ｄ、折り曲げ線Ｓ５・Ｓ６は、上述の実施の形態１の板状装着板Ｅの天板１、左水平板２、右水平板３、四辺Ｅ１〜Ｅ４・１Ａ〜１Ｄ・２Ａ〜２Ｄ・３Ａ〜３Ｄ、折り曲げ線Ｅ５・Ｅ６にそれぞれ相当するものであるが、天板３４の天板係止孔３７は、外形形状が四辺３７Ａ〜３７Ｄからなる四辺形にて、この四辺３７Ａ〜３７Ｄは、天板３４の四辺３４Ａ〜３４Ｄにそれぞれ平行となるものである。【００５８】  この装着体Ｒの台形直立部２４を整形体Ｃの固定孔９に挿入して、装着体Ｒに整形体Ｃを付設して形成されるところの、板状装着板Ｓのアーチ状の天板３４と整形体Ｃが接する二角Ｓ９・Ｓ１０内に、折り曲げ線Ｔ５をもって頂上Ｔ６とするところの山形状に整形した係止体Ｔの縦辺Ｔ２・Ｔ４が収まり、この頂上Ｔ６がアーチ状の天板３４内側に接触して、天板３４は安定したアーチ状態となり、山形状の係止体Ｔを付設した装着体Ｒは安定したものとなる。【００５９】  したがって、山形状の係止体Ｔの左斜面３８に設けた係止孔４０の上辺４０Ｂ・下辺４０Ｄのうちの、上辺４０Ｂに保持枠Ｄの側板１１が接触し、下辺４０Ｄに保持枠Ｄの下部開口Ｄ１６が接触する、すなわち、傾斜状態にて係止体Ｔに装着されることとなる保持枠Ｄが、天板３４に設けたスムーズに挿入・取外しができる大きさからなる天板係止孔３７を、保持枠Ｄの傾斜に沿って貫通し、下部開口Ｄ１６内に装着体Ｒの台形直立部２４を嵌め込む必要もなく、保持枠Ｄは安定した傾斜状態にて着脱自在に装着され、保持枠Ｄが台形直立部２４に接触することのない限り、多様な水平断面形状の保持枠を、かつ、傾斜した装着が可能となり、また、係止体Ｔを山形状に整形するところの縦辺Ｔ２・Ｔ４と頂上Ｔ６のうち、縦辺Ｔ２・Ｔ４はアーチ状の天板３４と整形体Ｃが接する二角Ｓ９・Ｓ１０内に収まり、頂上Ｔ６はアーチ状の天板３４内側に接触して、係止体Ｔを付設した装着体Ｒは安定することとなり、この装着体Ｒに装着する保持枠Ｄが安定した傾斜状態となるところの折り畳み式組立容器となる。【００６０】  上述の実施例において、係止体Ｔは厚紙製としているが、プラスチック板や、木製板としてもよい。【００６１】  また、保持枠Ｄは四枚の側板１１〜１４より構成され、このうちの側板１１を係止体Ｔの係止孔４０の上辺４０Ｂに接触しているが、側板１１以外の側板１２・１３、または、１４を接触してもよい。【００６２】  また、保持枠Ｄの側板１１・下部開口Ｄ１６が、係止体Ｔの係止孔４０の上辺４０Ｂ・下辺４０Ｄにそれぞれ接触して、安定した傾斜状態となっているならば、側板１１と台形直立部２４、または、下部開口Ｄ１６と整形体Ｃが接触しても問題はない。【００６３】  また、四辺４０Ａ〜４０Ｄからなる係止孔４０の上辺４０Ｂ・下辺４０Ｄのうち、上辺４０Ｂは保持枠Ｄの側板１１が接触し、下辺４０Ｄは保持枠Ｄの下部開口Ｄ１６が接触して、保持枠Ｄが安定した傾斜状態にて係止体Ｔに装着されるのであれば、直線よりなる四辺４０Ａ〜４０Ｄを、曲線からなる四辺としてもよい。【００６４】  また、保持枠Ｄの上部開口Ｄ１５と下部開口Ｄ１６は平行にて、装着体Ｒに傾斜状態にて装着された場合、上部開口Ｄ１５も傾斜しているが、これが外観上好ましくないならば、保持枠Ｄの上部を整形体Ｃに平行してカットしてもよい。【００６５】  また、保持枠Ｄは、係止体Ｔの係止孔４０にて係止し、天板３４の天板係止孔３７に貫通しているが、この係止孔４０・天板係止孔３７と同等なるものを別途それぞれ設けて、保持枠Ｄ以外の保持枠を傾斜状態にて貫通してもよいし、また、係止体Ｔの斜面３８・３９に別途係止孔を設け、この係止孔に上下に対応するところの貫通孔を天板３４に設けて、保持枠Ｄ以外の垂直状態にて貫通する保持枠を装着するとか、収納物を直接投入してもよいし、さらに、この一対の貫通孔・係止孔のうち、上方の貫通孔より下方の係止孔を、収納物が倒れることのない範囲にて小さくしてもよいし、貫通孔と係止孔が同一垂直線上に位置することのないように、どちらかをスライドしてもよいことは言うまでもない。
【実施例５】
【００６６】  実施の形態５を示す図２４〜２６において、組立容器Ａ６は装着体Ｕ・整形体Ｃ・保持枠Ｄ・係止体Ｔより構成されており、傾斜状態の保持枠Ｄを、この傾斜に直角方向にて装着体Ｕに装着する実施例であり、整形体Ｃ・保持枠Ｄ・係止体Ｔは上述の実施の形態４の組立容器Ａ５におけるものと同等である。【００６７】  装着体Ｕは、板状装着板Ｖと台形連結体Ｌより構成されており、板状装着板Ｖ・台形連結体Ｌは上述の実施の形態４の組立容器Ａ５における板状装着板Ｓ・台形連結体Ｌと同等であり、このうちの板状装着板Ｖにおいて、拡大天板係止孔４４を除いて、天板４１、左水平板４２、右水平板４３、四辺Ｖ１〜Ｖ４・４１Ａ〜４１Ｄ・４２Ａ〜４２Ｄ・４３Ａ〜４３Ｄ、折り曲げ線Ｖ５・Ｖ６は、上述の実施の形態４の板状装着板Ｓの天板３４、左水平３５、右水平板３６、四辺Ｓ１〜Ｓ４・３４Ａ〜３４Ｄ・３５Ａ〜３５Ｄ・３６Ａ〜３６Ｄ、折り曲げ線Ｓ５・Ｓ６にそれぞれ相当するものである。【００６８】  この装着体Ｕの台形直立部２４を整形体Ｃの固定孔９に挿入して、装着体Ｕに整形体Ｃを付設して形成されるところの、板状装着板Ｖのアーチ状の天板４１と整形体Ｃが接する二角Ｖ９・Ｖ１０内に、山形状の係止体Ｔの縦辺Ｔ２・Ｔ４が収まり、この頂上Ｔ６がアーチ状の天板４１内側に接触して、天板４１は安定したアーチ状態となり、山形状の係止体Ｔを付設した装着体Ｕは安定したものとなり、この装着体Ｕに、保持枠Ｄは安定した傾斜状態にて装着されることになる。【００６９】  板状装着板Ｖの天板４１に設けた四辺４４Ａ〜４４Ｄからなる拡大天板係止孔４４は、上述の実施の形態４の板状装着板Ｓの四辺３７Ａ〜３７Ｄからなる天板係止孔３７に相当するものであるが、係止体Ｔに傾斜状態にて装着したところの、保持枠Ｄの下部開口Ｄ１６に形成される傾斜面の延長が、アーチ状の天板４１と交わる位置まで、拡大天板係止孔４４の縦辺４４Ｄを、天板４１の縦辺４１Ｄ方向にスライドし、拡大天板係止孔４４は横辺４４Ａ・４４Ｃを長辺とする長方形としている。【００７０】  したがって、山形状の係止体Ｔの左斜面３８に設けた係止孔４０の上辺４０Ｂ・下辺４０Ｄのうちの、上辺４０Ｂに保持枠Ｄの側板１１が接触し、下辺４０Ｄに保持枠Ｄの下部開口Ｄ１６が接触する、すなわち、保持枠Ｄが傾斜状態にて係止体Ｔに装着されることとなり、傾斜状態の保持枠Ｄを、この傾斜に直角方向にてスムーズに挿入・取外しができる大きさからなる拡大天板係止孔４４を貫通し、下部開口Ｄ１６内に装着体Ｕの台形直立部２４を嵌め込む必要もなく、保持枠Ｄは安定した傾斜状態にて着脱自在に装着され、保持枠Ｄが台形直立部２４に接触することのない限り、多様な水平断面形状の保持枠を、かつ、傾斜した装着が可能となり、また、係止体Ｔを山形状に整形するところの縦辺Ｔ２・Ｔ４と頂上Ｔ６のうち、縦辺Ｔ２・Ｔ４はアーチ状の天板４１と整形体Ｃが接する二角Ｖ９・Ｖ１０内に収まり、頂上Ｔ６はアーチ状の天板４１内側に接触して、係止体Ｔを付設した装着体Ｕは安定することとなり、この装着体Ｕに装着する保持枠Ｄが安定した傾斜状態となるところの折り畳み式組立容器となる。【００７１】  上述の実施例において、保持枠Ｄは、四枚の側板１１〜１４のうちの、係止孔４０の上辺４０Ｂに接触する側板１１に平行するところの側板１３も、アーチ状の天板１内を貫通する大きさの水平断面形状としているが、係止体Ｔの係止孔４０に傾斜状態とした場合、この側板１３がアーチ状の天板１内に位置しない、すなわち、側板１３がアーチ状の天板１を越える高さの大きさからなる水平断面形状の保持枠としても、装着体Ｕに簡単に装着できることとなる。【００７２】  また、保持枠Ｄは、係止体Ｔの係止孔４０にて係止し、天板４１の拡大天板係止孔４４に貫通しているが、この係止孔４０・拡大天板係止孔４４と同等なるものを別途それぞれ設けて、保持枠Ｄ以外の保持枠を傾斜状態にて貫通してもよいし、また、係止体Ｔの斜面３８・３９に別途係止孔を設け、この係止孔に上下に対応するところの貫通孔を天板４１に設けて、保持枠Ｄ以外の保持枠を装着するとか、収納物を直接投入してもよいし、さらに、この一対の貫通孔・係止孔のうち、上方の貫通孔より下方の係止孔を、収納物が倒れることのない範囲にて小さくしてもよいし、貫通孔と係止孔が同一垂直線上に位置することのないように、どちらかをスライドしてもよいことは言うまでもない。
【符号の説明】
【００７３】Ａ１、Ａ２、Ａ３、Ａ４、Ａ５、Ａ６  組立容器
Ｂ、Ｊ、Ｎ、Ｒ、Ｕ  装着体
Ｃ  整形体
Ｄ  保持枠
Ｅ、Ｐ、Ｓ、Ｖ  板状装着板
Ｆ  連結体
Ｌ  台形連結体
Ｇ  上層整形板
Ｈ  下層整形板
Ｋ  連結体配設板
Ｍ、Ｑ  補助体
Ｔ  係止体
【図１】
0003189387.tif 000003
【図２】
0003189387.tif 000004
【図３】
0003189387.tif 000005
【図４】
0003189387.tif 000006
【図５】
0003189387.tif 000007
【図６】
0003189387.tif 000008
【図７】
0003189387.tif 000009
【図８】
0003189387.tif 000010
【図９】
0003189387.tif 000011
【図１０】
0003189387.tif 000012
【図１１】
0003189387.tif 000013
【図１２】
0003189387.tif 000014
【図１３】
0003189387.tif 000015
【図１４】
0003189387.tif 000016
【図１５】
0003189387.tif 000017
【図１６】
0003189387.tif 000018
【図１７】
0003189387.tif 000019
【図１８】
0003189387.tif 000020
【図１９】
0003189387.tif 000021
【図２０】
0003189387.tif 000022
【図２１】
0003189387.tif 000023
【図２２】
0003189387.tif 000024
【図２３】
0003189387.tif 000025
【図２４】
0003189387.tif 000026
【図２５】
0003189387.tif 000027
【図２６】
0003189387.tif 000028